(57)【特許請求の範囲】
【請求項１】
絶縁材料から成り、上壁と該上壁の周縁に設けた側壁とを有し、円側面と平坦面とを有する釦型電池を収納するケース本体部と、該ケース本体部の前記側壁の開放側に、前記上壁との間に空間部を有するように配設された絶縁基板と、前記上壁と前記絶縁基板との間の前記空間部に配設され、前記絶縁基板上に設けた弾性を有する第１の端子部と第２の端子部とを備え、
前記ケース本体部の前記上壁には、開口部と、該開口部の周縁の一部に対向する第１、第２阻止部とが設けられ、該第２阻止部の近傍には、前記釦型電池の前記円側面に対応する周壁を設け、前記ケース本体部の前記側壁には、前記空間部に貫通する孔が設けられており、該孔は前記開口部の前記第２阻止部側に位置し、前記孔の周囲の部分の前記上壁に、前記第２の阻止部を設け、前記第１の端子部は、前記第１阻止部と対向して設けられ、前記第２の端子部は、前記開口部に臨むように設けられ、前記開口部から前記空間部内に挿入された前記釦型電池が、前記第１の端子部により前記円側面が弾接されて、弾接された前記円側面と対向する前記円側面方向に付勢され、対向する前記円側面が前記周壁に当接され、且つ、前記第２の端子部により前記釦型電池の一方の前記平坦面が弾接されて、前記釦型電池の他方の前記平坦面方向に付勢され、他方の前記平坦面が前記第１、第２阻止部の内面に当接されて前記釦型電池が前記空間部内に収納されると共に、前記ケース本体部の前記側壁の前記孔を介して前記釦型電池が前記第１の端子部の弾接力に抗して移動されることにより、前記第２阻止部による阻止が解除され、前記ケース本体部の前記開口部から前記釦型電池が排出されることを特徴とする釦型電池の収納装置。
【請求項２】
前記第１阻止部から前記開口部の略中心部に向かって舌片部が延設され、該舌片部によって、前記釦型電池の他方の平坦面の一部が保持されていることを特徴とする請求項１記載の釦型電池の収納装置。
【請求項３】
前記舌片部が弾性を有していることを特徴とする請求項２記載の釦型電池の収納装置。
【請求項４】
前記絶縁基板がプリント配線基板であることを特徴とする請求項１、２、又は３記載の釦型電池の収納装置。
【発明の詳細な説明】
【０００１】
【発明の属する技術分野】
本発明は、リチウム電池など円盤状をした、いわゆる釦型電池に対する釦型電池の収納構造に関する。
【０００２】
【従来の技術】
従来の釦型電池の収納構造について図面を用いて説明する。ここで、図６〜図１１を参照して説明する。なお、この従来例は、特公平３ー４０４６４号公報として開示されている。
１１は、円盤状電池、例えば、リチウム電池であり、１２ａは、その一面、１２ｂは、周面、１２ｃは、他面であり、この他面１２ｃと周面１２ｂとは、金属板で一体に形成され、通常は＋電極と成されている。一面１２ａの金属板は上述した＋電極と絶縁され、−電極と成されている。
【０００３】
１３は、電池ホルダ（釦型電池の収納構造）を全体として示すものであり、ホルダ本体１４と、第１の端子１５、及び第２の端子１６とにより構成されている。
第１の端子１５は、導電性、及び弾性を有する材料をもって図１０より明らかなように接触部１７と、突片１８と、接触部１７の後方において下方に折り返された係止片１９とから構成されている。なお、係止片１９には、更に切起し片１９ａが形成されている。勿論これら各部、各片は、一体に形成されている。
【０００４】
第２の端子１６は、同様に導電性、及び弾性を有する材料をもって図１１より明らかなように、主板部２０と、折曲片２１ａ、２１ｂと、主板部２０の長手方向と直交する方向に突出された延長片２２と、主板部２０の板面に対して傾斜されてなる一対の接触片２３ａ、２３ｂとよりなり、この接触片２３ａ、２３ｂが、実際上、電池１１の一面１２ａと機械的、且つ電気的に接触するようになされている。
【０００５】
また、延長片２２の先端は、下方に向かって折曲され、突片２２ａが形成され、上述した折曲片２１ａ、２１ｂの幅は、主板部２０のそれより狭く形成されている。この第２の端子１６も、各部、及び各片が一体に形成されている。
【０００６】
ホルダ本体１４は、合成樹脂等の絶縁材料をもって、いわゆるモールドにより形成され、電池１１の一面１２ａに対応する板部２５と、電池１１の周面１２ｂに対応する周部２６とを有し、電池１１の他面１２ｃと対応する部分は開かれて、いわゆる開口２７が形成され、周部２６の一部は、切り欠きされて切欠部２８が形成されている。この切欠部２８は、比較的大きな面積であるように形成されている。
【０００７】
また、周部２６の切欠部２８とは反対側には、貫通孔２９が形成され、板部２５にも貫通孔３０が形成され、更に、周部２６の左右部分（切欠部２８と貫通孔２９とを結ぶ線と直交する方向に位置する部分）には、夫々係合孔３１ａ、３１ｂが形成されている。この係合孔３１ａ、３１ｂの幅は、第２の端子１６の折曲片２１ａ、２１ｂのそれよりも僅かに大に選ばれている。
【０００８】
ホルダ本体１４の周部２６には、切欠部２８の両側と、切欠部２８の反対側の部分とにおいて、開口２７の一部を閉塞するような前方鍔部３３ａ、３３ｂと、後方鍔部３４ａ、３４ｂとが形成されている。
【０００９】
第１の端子１５は、その突片１８が板部２５の貫通孔３０に貫通され、係止片１９が、周部２６の貫通孔２９に貫通された状態で、ホルダ本体１４内の後部（切欠部２８とは反対側）に配置されているが、電池１１を収納していない状態（不使用状態）においても、弓状の接触部１７が、板部２５と後方鍔部３４ａ、３４ｂとの間に丁度配置される。
【００１０】
よって、第１の端子１５が、一旦所定の位置に配置されると、これがホルダ本体１４より離脱することはない。尚、この状態では、係止片１９の切起し片１９ａが、周部２６の一部分に係合されるようにもなされている。
【００１１】
第２の端子１６は、その両側の折曲片２１ａ、２１ｂ（特にその上端）が、周部２６の係合孔３１ａ、３１ｂに係合されて、ホルダ本体１４に取付けられている。このとき、第２の端子１６の主板部２０の幅が係合孔３１ａ、３１ｂのそれより大であるので、この第２の端子１６が、係合孔３１ａ、または３１ｂを通じて、ホルダ本体１４の外部に脱落することはない。
【００１２】
このような構成によれば、今、図７に示すように電池ホルダ１３の開口２７を通じて、切欠部２８側から電池１１を第１の端子１５に押し付けるように挿入するときは、第１の端子１５の接触部１７は、この押圧により後退し、電池１１の切欠部２８側の端部が前方鍔部３３ａ、３３ｂより後退する位置まで移動される。
【００１３】
このとき、この電池１１を電池ホルダ１３内に押し付けるようにすれば、電池１１は第２の端子１６の接触片２３ａ、２３ｂによる弾力に抗して降下され、前方鍔部３３ａ、３３ｂより降下したとき、第１の端子１５の弾力により電池１１が前方、即ち切欠部２８方向に押圧され、この電池１１の前方端縁側の周面は、電池ホルダ１３の切欠部２８の両側附近の周部２６の内面に押し付けられる。
【００１４】
そして、電池ホルダ１３の前方鍔部３３ａ、３３ｂと、後方鍔部３４ａ、３４ｂとにより、収納された電池１１の他面１２ｃが抑えられ、これにより、電池１１が開口２７を通じて外部に脱落するのを阻止することができ、電池１１は、安定、且つ確実に電池ホルダ１３内に確保される。これら鍔部３３ａ、３３ｂ、３４ａ、３４ｂは阻止部となる。そして第１の端子１５、及び第２の端子１６間に電圧を得ることができる。
【００１５】
また、このようにして電池ホルダ１３内に収納された電池１１を、電池ホルダ１３の切欠部２８に爪先（指先）を当てがって強く第１の端子１５方向に押すと、電池１１を電池ホルダ１３の前方鍔部３３ａ、３３ｂ即ち抑えより離間させることができ、即ち電池１１の前端部分より電池ホルダ１３外に浮き上がらせることができ、よって爾後はこれを指先にて摘んで取出すことができる。
【００１６】
【発明が解決しようとする課題】
上述の如く、従来の釦型電池の収納構造では、電池ホルダ１３（釦型電池の収納構造）内に収納された電池１１を取り出す際に、電池ホルダ１３に設けられた切欠部２８に爪先（指先）を当てがって、切欠部２８から電池１１を取り出すように形成されており、この切欠部２８の部分では、電池１１が保持されていないことから、電池１１が、電池ホルダ１３内から、ときとして外方に外れてしまい易いという問題点がある。
【００１７】
本発明の釦型電池の収納構造は、上述の問題点を解決するもので、その目的は、釦型電池を確実に保持でき、容易には収納構造から外れない釦型電池の収納構造を提供する。
【００１８】
【課題を解決するための手段】
本発明の釦型電池の収納構造は、絶縁材料から成り、上壁と該上壁の周縁に設けた側壁とを有し、円側面と平坦面とを有する釦型電池を収納するケース本体部と、該ケース本体部の側壁の開放側に、上壁との間に空間部を有するように配設された絶縁基板と、上壁と絶縁基板との間の空間部に配設され、絶縁基板上に設けた弾性を有する第１の端子部と第２の端子部とを備え、
ケース本体部の上壁には、開口部と、該開口部の周縁の一部に対向する第１、第２阻止部とが設けられ、該第２阻止部の近傍には、釦型電池の円側面に対応する周壁を設け、ケース本体部の側壁には、空間部に貫通する孔が設けられており、該孔は開口部の第２阻止部側に位置し、孔の周囲の部分の上壁に、第２の阻止部を設け、第１の端子部は、第１阻止部と対向して設けられ、第２の端子部は、開口部に臨むように設けられ、開口部から空間部内に挿入された釦型電池が、第１の端子部により円側面が弾接されて、弾接された円側面と対向する円側面方向に付勢され、対向する円側面が周壁に当接され、且つ、第２の端子部により釦型電池の一方の平坦面が弾接されて、釦型電池の他方の平坦面方向に付勢され、他方の平坦面が第１、第２阻止部の内面に当接されて釦型電池が空間部内に収納されると共に、ケース本体部の側壁の孔を介して釦型電池が第１の端子部の弾接力に抗して移動されることにより、第２阻止部による阻止が解除され、ケース本体部の開口部から釦型電池が排出されることである。
かかる構成によって、釦型電池がケース本体部の一対の第１、第２阻止部によって、空間部内に確実に保持でき、釦型電池の排出が側壁の孔を介しての排出操作にて行うことから、孔の部分にも阻止部を形成でき、よって、一対の第１、第２阻止部の形成範囲が大きくでき、釦型電池が簡単にはケース本体部から飛び出すことなく空間部内に確実に保持することができる。
【００１９】
本発明の釦型電池の収納装置は、第１阻止部から開口部の略中心部に向かって舌片部が延設され、舌片部によって、釦型電池の他方の平坦面の一部が保持されていることである。
かかる構成によって、開口部の略中心部に向かって延設された舌片部によって、釦型電池が一層確実にケース本体部内の空間部内に保持できる。
【００２０】
本発明の釦型電池の収納装置は、舌片部が弾性を有していることである。
かかる構成によって、弾性を有する舌片部であることから釦型電池のケース本体部への収納と、ケース本体部からの排出がスムースにできる。
【００２１】
本発明の釦型電池の収納装置は、絶縁基板がプリント配線基板であることである。
かかる構成によって、プリント配線基板に各種の回路素子を配置でき、釦型電池の配置のスペースと各回路素子とが近接されていることから、回路パターンの引き回しが容易にできる。
【００２２】
【発明の実施の形態】
以下、本発明の釦型電池の収納構造の実施の形態について図面を用いて説明する。
図１は、本発明の釦型電池の収納構造の実施の形態を示す斜視図、図２は、本発明の釦型電池の収納構造の実施の形態を示す平面図である。
【００２３】
図１、図２に示すように、釦型電池１は、例えば、リチウム電池などから成り、所定の電圧値（例えば、３ボルト）を有している。また、この釦型電池１は、円盤状で、円側面１ａと、対向する一対の平坦面１ｂ、１ｃとを有している。そして、円側面１ａと一方の平坦面１ｂとが一体であって＋電極で、他方の平坦面１ｃが−電極であるように構成されている。
【００２４】
プリント配線基板２は、例えば、絶縁材料から成り、平板状に形成され、少なくとも一方の面に所定の回路パターン（図示せず）が形成され、この回路パターン上には、例えば、集積回路（図示せず）やチップ抵抗器（図示せず）やコイル部品（図示せず）などが半田付けによって電気的に接続され、適宜配置されている。また、回路パターン（図示せず）の所定の個所にはプリント配線基板２を貫通する複数個の貫通孔（図示せず）が設けられている。このプリント配線基板２は、いわゆる絶縁基板として機能している。
【００２５】
図３に示す、押釦スイッチ３は、例えば、矩形で、扁平状の筐体３ａと、筐体３ａから外方に突出された押釦キー３ｂとを有している。この押釦スイッチ３は、プリント配線基板２の一方の面（下面側）に設けられた回路パターン（図示せず）に半田付けによって電気的に接続された状態でプリント配線基板２上で下面側に配設されている。
【００２６】
第１の端子部４は、例えば、弾性を有する金属平板材料から成り、プレス加工によって形成され、所定の幅寸法を有し、略長円帯状の第１基部４ａと、第１基部４ａの中間部に設けられた切断部４ｂと、切断部４ｂによって対向するように設けられた平板状の一対の第１弾接部４ｃと、第１基部４ａの所定の個所（例えば、下端部側）から第１基部４ａの内方に突出して設けられた一対の第１固定部４ｄとを有している。
【００２７】
この第１の端子部４は、プリント配線基板２の他方の面側（上面側）の所定の個所に配設され、この状態のとき、第１の端子部４の一対の第１固定部４ｄは、プリント配線基板２の貫通孔（図示せず）に貫通され、一対の第１固定部４ｄの先端部は、回路パターン（図示せず）に半田付けによって電気的に接続されている。この一対の第１固定部４ｄの半田付けによって第１の端子４は、プリント配線基板２に固着されている。
【００２８】
また、この状態のとき、第１基部４ａと一対の第１弾接部４ｃとは、プリント配線基板２の他方の面に対して垂直になるように配設されている。
【００２９】
第２の端子部５は、例えば、弾性を有する金属平板材料から成り、プレス加工によって形成され、平板帯状の第２基部５ａと、第２基部５ａの中間部から第２基部５ａの外方に延設された略コ字状の第２弾接部５ｂと、第２基部５ａの両端部から第２基部５ａに対して垂直な方向に延設された一対の第２固定部５ｃとを有している。
【００３０】
また、略コ字状の第２弾接部５ｂは、第２基部５ａに対して下方に湾曲（膨出）した形状を有している。この湾曲した形状によって第２弾接部５ｂが弾性を有するように構成されている。
【００３１】
この第２の端子部５は、プリント配線基板２の他方の面側（上面側）の所定の個所に配設され、この状態のとき、第２の端子５の一対の第２固定部５ｃは、プリント配線基板２の貫通孔（図示せず）に貫通され、一対の第２固定部５ｃの先端部は、回路パターン（図示せず）に半田付けによって電気的に接続されている。この一対の第２固定部５ｃの半田付けによって第２の端子部５は、プリント配線基板２に固着されている。
【００３２】
また、この状態のとき、第２基部５ａと第２弾接部５ｂとは、プリント配線基板２の他方の面に対して平行になるように配設されている。そして、第２弾接部５ｂの湾曲（膨出）した部位は、プリント配線基板２から離間するように配設されている。
【００３３】
ケース本体部６は、例えば、絶縁性の合成樹脂材料から成り、成形加工によって形成され、略矩形の上壁６ａと、上壁６ａの外周縁から垂直に延設され、対向し、略四方を囲む第１、第２、第３、及び第４側壁６ｂ、６ｃ、６ｄ、６ｅとを有し、上壁６ａと対向する面側は開放されている。また、上壁６ａには、第１側壁６ｂ側に近接して略半円形よりやや大きな開口部６ｆと、上壁６ａの略中央部から開口部６ｆの中心方向に延設された舌片部６ｇとが設けられている。この舌片部６ｇは、弾性を有するように形成されている。
【００３４】
舌片部６ｇに弾性を付与する方法は、ケース本体部６自体をやや弾性のある材料で形成したり、また、舌片部６ｇに弾性変形を促進するような溝を形成したりすること、又は、舌片部６ｇの先端に向かって厚みを減らすことなどによる。
また、開口部６ｆの略半円形の頂部（図２の右側）付近には傾斜面が形成されている。
【００３５】
前記開口部６ｆは、対向する第１、第２側壁６ｂ、６ｃ方向の短径寸法と、対向する第３、第４側壁６ｄ、６ｅ方向の長径寸法とを有しており、短径寸法は、釦型電池１の直径寸法よりも僅かに小さい寸法で、長径寸法は、釦型電池１の直径寸法よりも僅かに大きな寸法であるように形成されている。
【００３６】
また、上壁６ａの内底面には、内底面に対して垂直であって、全体として略円環状で、中間部に切り欠き部を有し、それぞれ円弧状の複数個（例えば、３個）の周壁６ｈ、６ｊ、６ｋが立設され、そして、周壁６ｈは、上壁６ａの内底面の略中央部に配設され、周壁６ｊ、６ｋは、第１側壁６ｂの近傍に配設されている。
【００３７】
この全体として略円環状の周壁６ｈ、６ｊ、６ｋの直径は、釦型電池１の直径に比較して僅かに大きな直径であるように設けられ、そして、この周壁６ｈ、６ｊ、６ｋは、ほぼ開口部６ｆを囲むように配設されている。
【００３８】
そして、周壁６ｈと開口部６ｆとの間には、釦型電池１が開口部６ｆから外方に飛び出すのを阻止する第１阻止部６ｐが設けられ、また、各周壁６ｊ、６ｋと開口部６ｆとの間には、釦型電池１が開口部６ｆから外方に飛び出すのを阻止する第２阻止部６ｑが設けられている。換言すれば、第１阻止部６ｐと第２阻止部６ｑとは、上壁６ａの一部として設けられている。
【００３９】
この第１阻止部６ｐと第２阻止部６ｑとによって、釦型電池１の一方の平坦面１ｂの外周縁部の一部が保持されて、釦型電池１が開口部６ｆから外方に飛び出すのを阻止するような阻止部として構成されている。
【００４０】
また、前記舌片部６ｇは、第１阻止部６ｐから開口部６ｆの中心部方向に延設されているように構成されている。
【００４１】
また、第１側壁６ｂの略中央部には、ケース本体部６内と貫通された孔６ｍが設けられ、この孔６ｍは、周壁６ｊと周壁６ｋとに挟まれた位置に配設されている。
【００４２】
このケース本体部６内には、第１の端子部４と第２の端子部５とが固着されたプリント配線基板２が収納・配置され、プリント配線基板２は、例えば、スナップイン係合など適宜手段にてケース本体部６に係止されている。即ち、このプリント配線基板（絶縁基板）２は、ケース本体部６の上壁６ａと対向するように配設され、ケース本体部６の上壁６ａとプリント配線基板（絶縁基板）２との間には空間部８が設けられている。
【００４３】
この状態のとき、第１の端子部４と第２の端子部５とは、上壁６ａの内底面と対向するように配設され、即ち、第１の端子部４と第２の端子部５とは、前記空間部８に配設されている。また、第１の端子部４の略長円帯状の第１基部４ａの内側近傍に周壁６ｈが配設され、第２の端子部５の略コ字状の第２弾接部５ｂは、開口部６ｆと対向し、第２弾接部５ｂは、開口部６ｆに臨む（から露出する）ように配設されている。
【００４４】
図３に示す、弾性カバー部７は、例えば、絶縁性の弾性を有するゴム材料から成り、成形加工によって形成され、略矩形の底壁７ａと、底壁７ａの外周縁から垂直に延設され、略四方を囲む側壁７ｂと、底壁７ａの所定の個所に設けられ、外方に突出された押釦部７ｃとを有している。この弾性カバー部７は、ケース本体部６の開放された面側（底面側）を覆うように配設されている。
【００４５】
この状態のとき、弾性カバー部７の押釦部７ｃは、押釦スイッチ３と対向して配設されている。
【００４６】
次に、この釦型電池の収納構造にて、釦型電池をケース本体部内に挿入（収納）・排出する動作について説明する。
図３は、釦型電池の収納構造において、釦型電池をケース本体部内に挿入（収納）する動作を説明する説明図、図４は、釦型電池の収納構造において、釦型電池をケース本体部内に収納した動作を説明する説明図、図５は、釦型電池の収納構造において、釦型電池をケース本体部内から排出する動作を説明する説明図である。
【００４７】
先ず、ケース本体部の空間部内に釦型電池を挿入（収納）する動作について、図３、図４を用いて説明する。
釦型電池１をケース本体部６の開口部６ｆから挿入する際には、釦型電池１の円側面１ａの一部を舌片部６ｇの弾性に抗して開口部６ｆから挿入すると、舌片部６ｇは、弾性を有していることから、上壁６ａから外方に押し上げられる。そして、釦型電池１を更に開口部６ｆ内に押し込むと、円側面１ａは第１の端子部４の第１弾接部４ｃに当接し、第１弾接部４ｃの弾性に抗して釦型電池１は空間部８内に侵入する。
【００４８】
この後、釦型電池１は、第１弾接部４ｃの弾接力によって、ケース本体部６の第１側壁６ｂ側に移動し、第１側壁６ｂの孔６ｍの近傍に設けられた周壁６ｊ、６ｋに当接される。これによって、釦型電池１の一方の平坦面１ｂは、第２の端子部５の第２弾接部５ｂによって上方に押し上げられるが、第１阻止部６ｐと第２阻止部６ｑと舌片部６ｇとによって、阻止され、開口部６ｆから外方に飛び出すこと無く、空間部８内に釦型電池１が収納（図４参照）される。
【００４９】
この状態のとき、釦型電池１の円側面１ａの一部は、第１側壁６ｂの孔６ｍに近接して配置されている。また、円側面１ａは第１の端子部４に弾接し、他方の平坦面１ｃは、第２の端子部５に弾接して配設され、これによって、各＋電極、及び−電極と機械的、及び電気的に各第１、第２の端子部４、５に接続される。
【００５０】
次にケース本体部の空間部内から釦型電池を排出する動作について、図５を用いて説明する。
先ず、ケース本体部の空間部内に収納された釦型電池１をケース本体部６の開口部６ｆから排出する際には、第１側壁６ｂの孔６ｍの矢印Ａ方向から例えば、ドライバやピンなどの排出治具（図示せず）を差込んで、排出治具の先端部を釦型電池１の円側面１ａの一部に当接させる。
【００５１】
次に、円側面１ａに当接させた排出治具によって、釦型電池１を第１の端子部４の弾性に抗して押し付け、釦型電池１を周壁６ｈ側に移動させ、釦型電池１の平坦面１ｂの一部が第２阻止部６ｑの係止から離脱されるようにする。
釦型電池１の移動に伴って、第２の端子部５の弾性により釦型電池１が開口部６ｆから外方（矢印Ｂ方向）に向けて付勢される。このとき、釦型電池１の平坦面１ｂは、舌片部６ｇの弾性力によって空間部８側に付勢されていることから、釦型電池１が開口部６ｆから外方にいっきに飛び出すことはない。
【００５２】
これによって、釦型電池１が開口部６ｆから飛び出し、転がり出すなどして釦型電池１の取り扱い（処理）に苦慮することは無くなる。
この状態のとき、釦型電池１の円側面１ｂを指先で挟んで、開口部６ｆから引き出す。
【００５３】
舌片部６ｇが舌片形状であり、周囲に開口部６ｆがまわり込んでいるため、指先で釦型電池１を取り出す際に、作業が容易である。
上述の実施例では舌片部６ｇが弾性を有する場合について説明したが、これに限定されず、舌片部６ｇの長さ寸法を若干短くすれば、特段弾性を必要としない。
【００５４】
【発明の効果】
以上のように、本発明の釦型電池の収納装置は、釦型電池がケース本体部の一対の阻止部によって、確実に保持でき、釦型電池の排出が側壁の孔を介しての排出操作にて行うことから、孔の部分にも阻止部を形成でき、よって、従来の阻止部に比較して阻止部の形成範囲が大きくでき、釦型電池が簡単にはケース本体部から飛び出すことのない釦型電池の収納装置を提供できる。
【００５５】
また、本発明の釦型電池の収納装置は、開口部の略中心部に向かって延設された舌片部によって、釦型電池が一層確実にケース本体部内に保持できる。
【００５６】
また、本発明の釦型電池の収納装置は、弾性を有する舌片部によって、釦型電池のケース本体部への収納と、ケース本体部からの排出がスムースにできる。
【００５７】
また、本発明の釦型電池の収納装置は、プリント配線基板（絶縁基板）に各種の回路素子を配置でき、釦型電池の配置のスペースと各回路素子とが近接されていることから、回路パターンの引き回しが容易にできる。
【図面の簡単な説明】
【図１】本発明の釦型電池の収納構造の実施の形態を示す斜視図である。
【図２】本発明の釦型電池の収納構造の実施の形態を示す平面図である。
【図３】本発明の釦型電池の収納構造において、釦型電池をケース本体部内に挿入（収納）する動作を説明する説明図である。
【図４】本発明の釦型電池の収納構造において、釦型電池をケース本体部内に収納した動作を説明する説明図である。
【図５】本発明の釦型電池の収納構造において、釦型電池をケース本体部内から排出する動作を説明する説明図である。
【図６】従来の釦型電池の収納構造を示す平面図である。
【図７】図６の７−７線による断面図である。
【図８】図６の８−８線による断面図である。
【図９】図６の７−７線にて切断した状態の斜視図である。
【図１０】従来の釦型電池の収納構造の第１の端子を示す斜視図である。
【図１１】従来の釦型電池の収納構造の第２の端子を示す斜視図である。
【符号の説明】
１    釦型電池
１ａ  円側面
１ｂ、１ｃ  平坦面
２    プリント配線基板（絶縁基板）
３    押釦スイッチ
４    第１の端子部
４ａ  第１基部
４ｃ  第１弾接部
４ｄ  第１固定部
５    第２の端子部
５ａ  第２基部
５ｂ  第２弾接部
５ｃ  第２固定部
６    ケース本体部
６ａ  上壁
６ｂ、６ｃ、６ｄ、６ｅ  側壁
６ｆ  開口部
６ｇ  舌片部
６ｈ、６ｊ、６ｋ  周壁
６ｐ  第１阻止部（阻止部）
６ｑ  第２阻止部（阻止部）
６ｍ  孔
７    弾性カバー部
【図１】
0003811609.tif 000002
【図２】
0003811609.tif 000003
【図３】
0003811609.tif 000004
【図４】
0003811609.tif 000005
【図５】
0003811609.tif 000006
【図６】
0003811609.tif 000007
【図７】
0003811609.tif 000008
【図８】
0003811609.tif 000009
【図９】
0003811609.tif 000010
【図１０】
0003811609.tif 000011
【図１１】
0003811609.tif 000012